(57)【要約】      （修正有）【課題】収納が簡単で、使用空間が小さく、構造が合理的で、安定に支持できるプリント又はスキャン機器用の折り畳み式スタンドを提供する。【解決手段】プリント又はスキャン機器用の折り畳み式スタンド２０は、台座２１、連結ロッド２５、及び支持フレーム２６を含み、台座は、底板、底板の上面上の両端にそれぞれ対称に立設されている２つの立板を含み、底板における機器本体１０の排紙口から離れた後端の中央に第１ヒンジピンが設けられ、連結ロッドの一端が第１ヒンジピンにヒンジ接続され、支持フレームは梁を含み、梁の両端には対称に上方へ延伸する左支持アーム及び右支持アームが設けられ、梁の中央に第２ヒンジピンが設けられ、連結ロッドの他端が第２ヒンジピンにヒンジ接続され、２つの立板の上端がそれぞれ機器本体にヒンジ接続され、左支持アーム及び右支持アームの上端は、機器本体にヒンジ接続されている。【選択図】図２
0003235020.tif 000002
【実用新案登録請求の範囲】
【請求項１】
台座、支持フレーム、及び連結ロッドを有し、
前記台座は、底板、それぞれ前記底板の上面上の両端に対称に立設されている２つの立板、及び前記底板における機器本体の排紙口から離れた後端の中央に設けられている第１ヒンジピンを有し、
前記支持フレームは、梁、前記梁の中央に設けられている第２ヒンジピン、及び、それぞれ前記梁の両端に対称に設けられ且つ上方に延伸する左支持アームと右支持アームを有し、
前記連結ロッドは、前記台座と前記支持フレームの間に設けられており、その両端がそれぞれ前記第１ヒンジピン及び前記第２ヒンジピンにヒンジ接続されており、
前記２つの立板には上端にそれぞれ固定穴が設けられており、前記固定穴は前記機器本体にヒンジ接続され、前記左支持アーム及び前記右支持アームの上端にはそれぞれヒンジピン穴が設けられており、前記ヒンジピン穴は前記機器本体にヒンジ接続される、
ことを特徴とする、
プリント又はスキャン機器用の折り畳み式スタンド。
【請求項２】
前記梁、前記左支持アーム及び前記右支持アームは、一体構造であり、
前記左支持アーム及び前記右支持アームは、それぞれ略逆Ｌ字型であり、
前記ヒンジピン穴は、それぞれ前記左支持アーム及び前記右支持アームの短辺に設けられている、
ことを特徴とする、
請求項１に記載のプリント又はスキャン機器用の折り畳み式スタンド。
【請求項３】
前記２つの立板は、それぞれ前記底板の両端における排紙口から離れた側に設けられており、前記２つの立板は、それぞれ上部に排紙口の方に延伸する延伸部を有し、
前記固定穴は、前記延伸部の前端に設けられ、且つ前記機器本体の両側壁にヒンジ接続される、
ことを特徴とする、
請求項１に記載のプリント又はスキャン機器用の折り畳み式スタンド。
【請求項４】
前記機器本体の底面の中央に平底面を有し、
前記平底面における排紙口に近い側に前記平底面に対して上向きに傾斜する第１斜面を有し、
前記平底面における排紙口から離れた側に前記平底面に対して上向きに傾斜する第２斜面を有しており、
当該折り畳み式スタンドは、前記底面の形状に対応するように折り畳まれる、
ことを特徴とする、
請求項１に記載のプリント又はスキャン機器用の折り畳み式スタンド。
【請求項５】
前記固定穴は、前記第１斜面の上部の前記機器本体の両側壁にヒンジ接続され、
前記ヒンジピン穴は、前記平底面に対応する領域内にあって、前記第２斜面に近い箇所に設けられている前記機器本体の両側壁にヒンジ接続される、
ことを特徴とする、
請求項４に記載のプリント又はスキャン機器用の折り畳み式スタンド。
【請求項６】
前記第１斜面の長さは、前記第２斜面の長さより長く、
前記第１斜面の傾角は、前記第２斜面の傾角より小さく、
前記連結ロッドの長さは、前記第１斜面の長さに対応している、
ことを特徴とする、
請求項４に記載のプリント又はスキャン機器用の折り畳み式スタンド。
【請求項７】
前記機器本体の底面に収納槽が設けられており、
当該折り畳み式スタンドは、前記支持フレームが前記収納槽に収容されるように折り畳まれる、
ことを特徴とする、
請求項４に記載のプリント又はスキャン機器用の折り畳み式スタンド。
【考案の詳細な説明】
【技術分野】
【０００１】
本考案は、プリント又はスキャン機器用の構造、具體的にはプリント又はスキャン機器に用いられ、且つ収納が簡単で、使用空間が小さく、構造が合理的で、安定に支持できる折り畳み式スタンドに関する。
【背景技術】
【０００２】
図１のように、従来のプリンター又はスキャン機器１００’は、部品が多く、また、用紙進入口及び排紙口の両方を遮らないようにする必要があるため、使用中の機器本体が多くのスペースを占めてしまうことが知られている。また、例えば保管や輸送等の非使用状態では、機器本体が大きくて収納管理が容易ではない。
【０００３】
よって、プリント又はスキャン機器に用いられ、且つ収納が簡単で、使用空間が小さく、構造が合理的で、安定に支持できる折り畳み式スタンドを設計することが特に重要である。
【考案の概要】
【考案が解決しようとする課題】
【０００４】
本考案は、上記従来技術の不足を解決することを目的として、プリント又はスキャン機器に用いられ、且つ収納が簡単で、使用空間が小さく、構造が合理的で、安定に支持できる折り畳み式スタンドを提供する。
【課題を解決するための手段】
【０００５】
以上目的を実現するために、本考案が提供するプリント又はスキャン機器用の折り畳み式スタンドは、台座、支持フレーム、及び連結ロッドを有し、前記台座は、底板、それぞれ前記底板の上面上の両端に対称に立設されている２つの立板、及び前記底板における機器本体の排紙口から離れた後端の中央に設けられている第１ヒンジピンを有し、前記支持フレームは、梁、前記梁の中央に設けられている第２ヒンジピン、及び、それぞれ前記梁の両端に対称に設けられ且つ上方に延伸する左支持アームと右支持アームを有し、前記連結ロッドは、前記台座と前記支持フレームの間に設けられており、その両端がそれぞれ前記第１ヒンジピン及び前記第２ヒンジピンにヒンジ接続されており、前記２つの立板には上端にそれぞれ固定穴が設けられており、前記固定穴は前記機器本体にヒンジ接続され、前記左支持アーム及び前記右支持アームの上端にはそれぞれヒンジピン穴が設けられており、前記ヒンジピン穴は前記機器本体にヒンジ接続されることを特徴とする、プリント又はスキャン機器用の折り畳み式スタンドである。
【０００６】
本考案において、前記梁、前記左支持アーム及び前記右支持アームは、一体構造であり、前記左支持アーム及び前記右支持アームは、それぞれ略逆Ｌ字型であり、前記ヒンジピン穴は、それぞれ前記左支持アーム及び前記右支持アームの短辺に設けられ、且つ前記機器本体にヒンジ接続される。
【０００７】
本考案において、前記２つの立板は、それぞれ前記底板の両端における排紙口から離れた側に設けられており、前記２つの立板は、それぞれ上部に排紙口の方に延伸する延伸部を有し、前記固定穴は、前記延伸部の前端に設けられ、且つ前記機器本体の両側壁にヒンジ接続される。
【０００８】
本考案において、前記機器本体の底面の中央に平底面を有し、前記平底面における排紙口に近い側に前記平底面に対して上向きに傾斜する第１斜面を有し、前記平底面における排紙口から離れた側に前記平底面に対して上向きに傾斜する第２斜面を有している。
【０００９】
本考案において、前記固定穴は、前記第１斜面の上部の前記機器本体の両側壁にヒンジ接続され、前記ヒンジピン穴は、前記平底面に対応する領域内にあって、前記第２斜面に近い箇所に設けられている前記機器本体の両側壁にヒンジ接続される。
【００１０】
本考案において、前記第１斜面の長さは、前記第２斜面の長さより長く、前記第１斜面の傾角は、前記第２斜面の傾角より小さく、前記連結ロッドの長さは、前記第１斜面の長さに対応している。
【００１１】
本考案において、前記機器本体の底面に収納槽を設けることが可能であり、当該折り畳み式スタンドは、前記支持フレームが前記収納槽に収容されるように折り畳まれる。
【図面の簡単な説明】
【００１２】
【図１】従来の機器本体の構造を示す模式図である。
【図２】本考案のプリント又はスキャン機器用の折り畳み式スタンドを示す模式図である。
【図３】本考案の折り畳み式スタンドにおける台座を示す模式図である。
【図４】本考案の折り畳み式スタンドにおける支持フレームの構造を示す模式図である。
【図５】本考案の折り畳み式スタンドにおける連結ロッドを示す模式図である。
【図６】本考案のプリント又はスキャン機器用の折り畳み式スタンドの１つ目の収納状態を示す模式図である。
【図７】本考案のプリント又はスキャン機器用の折り畳み式スタンドの２つ目の収納状態を示す模式図である。
【図８】本考案のプリント又はスキャン機器用の折り畳み式スタンドにおける機器本体を示す斜視図である。
【考案を実施するための形態】
【００１３】
以下、実施例及び図面を開示し、本考案の技術内容、構造の特徴、本考案により達成する目的及び効果について詳しく説明する。本明細書において、「前」とは、紙が排紙される側を意味し、「後」とはその反対側を意味する。
【００１４】
図２のように、本考案は、折り畳み式スタンド２０、及び該折り畳み式スタンド２０が設けられているプリント又はスキャン機器１００を開示する。本好ましい実施例において、図６にも示すように、前記プリント又はスキャン機器１００には、機器本体１０が設けられており、前記機器本体１０の底面の中央には、平底面１１が設けられており、前記平底面１１における排紙口に近い側には、前記平底面１１に対して上向きに傾斜する第１斜面１２が設けられており、前記平底面１１における排紙口から離れた側には、前記平底面１１に対して上向きに傾斜する第２斜面１３が設けられており、当該折り畳み式スタンドは、前記底面の形状に対応するように折り畳まれる。
【００１５】
次に、図２〜図５を参照しながら説明する。前記折り畳み式スタンド２０は、台座２１、支持フレーム２６、及び連結ロッド２５を有している。前記台座２１は、底板２２、それぞれ前記底板２２の上面上の両端に対称に立設されている２つの立板２３、及び前記底板２２における機器本体１０の排紙口から離れた後端の中央に設けられている第１ヒンジピン２４を有している。前記支持フレーム２６は、梁２７、前記梁２７の中央に設けられている第２ヒンジピン３０、及び、それぞれ前記梁２７の両端に対称に設けられ且つ上方に延伸する左支持アーム２８と右支持アーム２９を有している。前記連結ロッド２５は、前記台座２１と前記支持フレーム２６の間に設けられており、その両端がそれぞれ前記第１ヒンジピン２４及び前記第２ヒンジピン３０にヒンジ接続されている。
【００１６】
その中で、前記台座２１及び前記支持フレーム２６が前記機器本体１０にヒンジ接続されており、使用時に、前記台座２１が前記機器本体１０を連動し、前記連結ロッド２５の一端の周りに回転可能にするため、１つの好ましい実施例において、前記２つの立板２３の上部は、それぞれ排紙口の方に延伸する延伸部２３ｂ、及び前記延伸部２３ｂの前端に設けられる固定穴２３ａを有している。また、前記固定穴２３ａは、前記機器本体１０の両側壁にヒンジ接続される。前記梁２７、前記左支持アーム２８、及び前記右支持アーム２９は、一体構造である。また、前記左支持アーム２８及び前記右支持アーム２９は、それぞれ略逆Ｌ字型であり、前記左支持アーム２８及び前記右支持アーム２９の短辺には、それぞれヒンジピン穴３１が設けられている。また、前記ヒンジピン穴３１には、それぞれ前記機器本体１０の両側がヒンジ接続される。
【００１７】
次に、図６のように、前記折り畳み式スタンド２０の収納安定性を提供するため、本好ましい実施例において、前記固定穴２３ａは、前記第１斜面１２の上部の前記機器本体１０の両側壁に固定接続される。前記ヒンジピン穴３１は、前記平底面１１に対応する領域内にあって、前記第２斜面１３に近い箇所に設けられている前記機器本体１０の両側壁にヒンジ接続される。また、前記第１斜面１２の長さは、前記第２斜面１３の長さより長く、前記第１斜面１２の傾角は、前記第２斜面１３の傾角より小く、前記連結ロッド２５の長さは、前記第１斜面１２の長さに対応している。
【００１８】
並びに、図６及び図７のように、本考案の使用時に、前記機器本体１０の底面に多段階式の構造を設けることで、使用状態での前記平底面１１、及び収納状態での前記第１斜面１２を形成する。また、本実施例において、前記折り畳み式スタンド２０における前記支持フレーム２６と前記連結ロッド２５の相対的な位置調整により、前記連結ロッド２５及び前記支持フレーム２６が引かれ、前記機器本体１０及び前記台座２１の状態を同期に調整させる。使用状態において、前記連結ロッド２５及び前記支持フレーム２６は前記平底面１１に接触していないため、排紙口及び用紙進入口を同じ平面に位置させ、給紙及び排紙の通路が遮られないことを確保できる。
【００１９】
図７及び図８から理解できるように、非使用状態においても前記プリント又はスキャン機器１００のスペースを約２／３減少し、保管及び輸送中のスペースを有効に節約するため、本実施例において、前記平底面１１における前記連結ロッド２５及び前記支持フレーム２６に対応する位置に収納槽１４が設けられている。非使用状態では、前記連結ロッド２５が引かれ、前記支持フレーム２６と前記連結ロッド２５の角度が調整されることで、前記台座２１が前記第１斜面１２に接させられ、前記連結ロッド２５及び前記支持フレーム２６が前記収納槽１４に収納される。すなわち、当該折り畳み式スタンドは、前記支持フレーム２６が前記収納槽１４に収容されるように折り畳まれる。
【符号の説明】
【００２０】
１００  プリント又はスキャン機器
１０  機器本体
１１  平底面
１２  第１斜面
１３  第２斜面
１４  収納槽
２０  折り畳み式スタンド
２１  台座
２２  底板
２３  立板
２３ａ  固定穴
２３ｂ  延伸部
２４  第１ヒンジピン
２５  連結ロッド
２６  支持フレーム
２７  梁
２８  左支持アーム
２９  右支持アーム
３０  第２ヒンジピン
３１  ヒンジピン穴
【図１】
0003235020.tif 000003
【図２】
0003235020.tif 000004
【図３】
0003235020.tif 000005
【図４】
0003235020.tif 000006
【図５】
0003235020.tif 000007
【図６】
0003235020.tif 000008
【図７】
0003235020.tif 000009
【図８】
0003235020.tif 000010